(57)【要約】      （修正有）【課題】起立しているポストのロックと解除が容易操作でき、構造が簡単で、加工性、組付性、安全性に優れたポスト倒れ防止装置を備えた可搬式作業台装置を提供する。【解決手段】ポスト倒れ防止装置Ｐを支柱２の下部外周に水平に取り付けたガイドパイプ３１と、台車本体２０に垂設したブラケット３４と、ガイドパイプ３１とブラケット３４に回転自在に取り付けた水平な駆動ロッド３２と、駆動ロッド３２の一端に設けた操作レバー３５と、操作レバーとブラケット３４との間に介装されて常時操作レバーを一方向に向けて回転自在に引き込むスプリングと、駆動ロッド３２の他端に設けられ且つ操作レバーがスプリングで一方向に引き込まれている時下段ポスト３の背面に対向して起立すると共に操作レバーをスプリングに抗して他方向に回転した時下段ポスト３の背面から外れた位置に移動する板状のストッパ３３とで構成されている。【選択図】図１
2010115759.tif 000002
【特許請求の範囲】
【請求項１】
台車１と、上記台車１上に起立する一対の支柱２，２と、上記支柱２，２に回転自在に取り付けた下段ポスト３と、上記下段ポスト３内にスライド自在に挿入した一つ又は複数の中間ポスト４と、上記中間ポスト４内にスライド自在に挿入した上段ポスト５と、上記上段ポスト上に設けた作業台６と、上記下段ポスト３に下段ブラケット７を介して取り付けた下段梯子１０と、上記中段ポスト４に中段ブラケット８を介して取り付けた中段梯子１１と、上記作業台６に上段ブラケット９を介して取り付けた上段梯子９と、上記下段ポスト３に対して上記中段ポスト４と上記上段ポスト５とを伸縮駆動する手動のウィンチ機構１３と、上記各ポストが垂直に起立している状態を保持させるポスト倒れ防止装置とを備えている可搬式作業台装置において、上記ポスト倒れ防止装置Ｐを上記支柱２の下部外周に水平に取り付けたガイドパイプ３１と、上記台車本体２０に垂設したブラケット３４と、上記ガイドパイプ３１と上記ブラケット３４に回転自在に取り付けた水平な駆動ロッド３２と、上記駆動ロッド３２の一端に設けた操作レバー３５と、上記操作レバー３５と上記ブラケット３４との間に介装されて常時操作レバー３５を一方向に向けて回転自在に引き込むスプリング３６と、上記駆動ロッド３２の他端に設けられ且つ上記操作レバー３５が上記スプリング３６で一方向に引き込まれている時上記下段ポスト３の背面に対向して起立すると共に上記操作レバー３５を上記スプリング３６に抗して他方向に回転した時上記下段ポスト３の背面から外れた位置に移動する板状のストッパ３３とで構成さていることを特徴とする可搬式作業台装置。
【請求項２】
上記ポスト倒れ防止装置Ｐに付加して他の第２のポスト倒れ防止装置Ｑを設け、当該第２のポスト倒れ防止装置Ｑを上記下段ポスト３の下部外面に固定した板状のブラケット３８と、上記ブラケット３８に固定した長板状のストッパ３９と、このストッパ３９に形成した上下二つのストップ溝４０、４０と、上記ブラケット３８に固定した縦方向のソケット４３と、このソケット４３内に上下移動自在に挿入した回転自在なロックピン４１と、このロックピン４１に結合されて上記二つのストップ溝４０、４０のいずれかに選択的に嵌合する水平なストップレバー４２と、上記台車本体２０上に起立して設けた支持板４５と、この支持板４５に取り付けられて上記ロックピン４１に対向して当該ロックピン４１を抜き差し自在に受容する係止パイプ４４とで構成させている請求項１に記載の可搬式作業台装置。
【発明の詳細な説明】
【技術分野】
【０００１】
本発明は、作業台上で配電線敷設などの高所作業、建築・土木工事現場における高所作業を行うのに利用する可搬式作業台装置に関する。
【背景技術】
【０００２】
従来から、市中の電柱間に張設された配電線の交換や高圧器の保守，点検を行う場合、あるいは建築・土木工事現場における高所作業には、専用車両に作業台を持ったリフトポストを設けた可搬式作業台装置が使用されている。
【０００３】
かかる可搬式作業台装置では、専用車両に設けた発電設備の発生電力を利用してモータを駆動し、このモータにより油圧ポンプを駆動して、油圧により上記リフトポストの昇降を簡単，迅速に制御することができる点で、実用上極めて有益である。
【０００４】
しかしながら、上記可搬式作業台装置は、リストポストの昇降も発電機，モータ，油圧ポンプを使用して行われるため、設備が大形化かつ複雑化し、コストが著しく高いものについてしまうという問題点があった。
【０００５】
そこで、構造が丈夫で取扱いが容易であり、電力や油圧を使用せず、収納スペースを小さく抑えることができる可搬式作業台装置が開発されている。
【０００６】
この可搬式作業台装置としては、例えば、特許文献１に開示された構造のもので広く使用されている。
【０００７】
この可搬式作業台装置は、  台車と、上記台車上に起立する一対の支柱と、上記支柱に回転自在に取り付けた下段ポストと、上記下段ポスト内にスライド自在に挿入した中間ポストと、上記中間ポスト内にスライド自在に挿入した上段ポストと、上記上段ポスト上に設けた作業台と、上記下段ポストに下段ブラケットを介して取り付けた下段梯子と、上記中段ポストに中段ブラケットを介して取り付けた中段梯子と、上記作業台に上段ブラケットを介して取り付けた上段梯子と、上記下段ポストに対して上記中段ポストと上記上段ポストとを伸縮駆動する手動のウィンチを利用した駆動機構と、ポスト倒れ防止装置とを備えたものである。
【特許文献１】特開平８−２９０３７４号公報（要約、図面参照）
【発明の開示】
【発明が解決しようとする課題】
【０００８】
しかしながら、上記の可搬式作業台装置は、機能上特に欠陥がある訳ではないが、次のような不具合の改善が求められている。
【０００９】
すなわち、上記の可搬式作業台装置は、多段梯子が垂直に配設されているため、各ポストを長くし、又はポストの数を多くして伸長時に作業台をより高く配置しようとする時、梯子を昇降する途中で作業者の体重が背中寄りに掛かって姿勢が反り返る場合が多くなり、梯子に対する昇降が不便でやりづらく、昇降スピードも落ち、高所作業の能率を低下させる。
【００１０】
また、上記の可搬式作業台装置はウィンチのブレーキ、その他の安全装置が付設されているが、このウィンチや安全装置が故障したような場合、急に多段ポストが下降することが想定され、その結果垂直に配設された多段梯子も垂直に下降する恐れがあり、梯子を昇降中の作業者にとって安全上好ましくない。
【００１１】
更に、ポスト倒れ防止装置は、台車本体に起立した第１の板状ブラケットと、下段ポストの外面に張り出して設けた他の第２の板状ブラケットと、第１、第２のブラケット間に着脱自在に取り付けるボルトとナットとからなるものであるため、ボルトとナットとの着脱操作が面倒で、操作性に劣り、ボルトが弛んだり、ポストの重量等で急にポストが倒れ方向に変位するような場合があるためこれを防止する安全管理に十分な配慮が必要である。
【００１２】
その結果、作業性、経済性において不利な面がある。
【００１３】
そこで、本発明は特に上記の改善すべき課題のうち、特に垂直に起立しているポストをその起立状態を確実に維持しながら自動的にロックでき、またロック操作、ロック解除の操作が容易でスピードアップを図れ、構造が簡単で、加工性、組付性、安全性に優れたポスト倒れ防止装置を備えた可搬式作業台装置を提供することである。
【課題を解決するための手段】
【００１４】
上記の目的を達成するため、本発明の手段は、台車と、上記台車上に起立する一対の支柱と、上記支柱に回転自在に取り付けた下段ポストと、上記下段ポスト内にスライド自在に挿入した一つ又は複数の中間ポストと、上記中間ポスト内にスライド自在に挿入した上段ポストと、上記上段ポスト上に設けた作業台と、上記下段ポストに下段ブラケットを介して取り付けた下段梯子と、上記中段ポストに中段ブラケットを介して取り付けた中段梯子と、上記作業台に上段ブラケットを介して取り付けた上段梯子と、上記下段ポストに対して上記中段ポストと上記上段ポストとを伸縮駆動する手動のウィンチ機構と、上記各ポストが垂直に起立している状態を保持させるポスト倒れ防止装置とを備えている可搬式作業台装置において、上記ポスト倒れ防止装置を上記支柱の下部外周に水平に取り付けたガイドパイプと、上記台車本体に垂設したブラケットと、上記ガイドパイプと上記ブラケットに回転自在に取り付けた水平な駆動ロッドと、上記駆動ロッドの一端に設けた操作レバーと、上記操作レバーと上記ブラケットとの間に介装されて常時操作レバーを一方向に向けて回転自在に引き込むスプリングと、上記駆動ロッドの他端に設けられ且つ上記操作レバーが上記スプリングで一方向に引き込まれている時上記下段ポストの背面に対向して起立すると共に上記操作レバーを上記スプリングに抗して他方向に回転した時上記下段ポストの背面から外れた位置に移動する板状のストッパとで構成さていることを特徴とする。
【００１５】
この場合、上記ポスト倒れ防止装置に付加して他の第２のポスト倒れ防止装置を設け、当該第２のポスト倒れ防止装置を上記下段ポストの下部外面に固定した板状のブラケットと、上記ブラケットに固定した長板状のストッパと、このストッパに形成した上下二つのストップ溝と、上記ブラケットに固定した縦方向のソケットと、このソケット内に上下移動自在に挿入した回転自在なロックピンと、このロックピンに結合されて上記二つのストップ溝のいずれかに選択的に嵌合する水平なストップレバーと、上記台車本体上に起立して設けた支持板と、この支持板に取り付けられて上記ロックピンに対向して当該ロックピンを抜き差し自在に受容する係止パイプとで構成させているのが好ましい。
【発明の効果】
【００１６】
各請求項の発明によれば、次の効果を達成できる。
【００１７】
１  下段ポスト３等が軸２５を例えば反時計方向に回転しようとしも、この下段ポスト３の下部がストッパ３３に係止されて回転が阻止され、そのままロックされて倒れが防止され、安全性が確保される。
【００１８】
他方、各ポスト３、４、５や各梯子１０、１１、１２を縮めて水平に格納する場合は、上記と逆に、スプリング３６に抗して操作レバー３５を反時計方向に手動又は足で回転し、駆動ロッド３２を介して同一方向にストッパ３３を回転させ、当該ストッパ３３を下段ポスト３の背面からはずすことにより、下段ポスト３を軸２５を中心にて回転させ、水平に格納させることが出来る。
【００１９】
２  上記のポスト倒れ防止装置Ｐはスプリング３６の引っ張り力で自動的にストッパ３３を下段ポスト３の背面に対向させて自動ロック出来、同じく、足等で操作レバー３５をスピリング３６に抗して回転させることにより上記のロックを解除できるのでロック操作、ロック解除操作が容易であり、操作スピードを向上でき、安全性の向上も図れる。
【００２０】
３  上記のポスト倒れ防止装置Ｐは構造が簡単であり、加工性、組付性、経済性に優れている。
【００２１】
４  請求項２の発明によれば、第２のポスト倒れ防止装置Ｑを付加しているので、ポストの倒れ防止を二重に管理でき、更なる安全性の向上が図れる。
【発明を実施するための最良の形態】
【００２２】
以下本発明の実施の一形態を図に基づいて説明する。
【００２３】
本発明の一実施の形態に係わる可搬式作業台装置は、従来の可搬式作業台装置と同じく、台車１と、上記台車１上に起立する一対の支柱２，２と、上記支柱２，２に回転自在に取り付けた下段ポスト３と、上記下段ポスト３内にスライド自在に挿入した一つ又は複数の中間ポスト４と、上記中間ポスト４内にスライド自在に挿入した上段ポスト５と、上記上段ポスト上に設けた作業台６と、上記下段ポスト３に下段ブラケット７を介して取り付けた下段梯子１０と、上記中段ポスト４に中段ブラケット８を介して取り付けた中段梯子１１と、上記作業台６に上段ブラケット９を介して取り付けた上段梯子９と、上記下段ポスト３に対して上記中段ポスト４と上記上段ポスト５とを伸縮駆動する手動のウィンチ機構１３と、上記各ポストが垂直に起立している状態を保持させるポスト倒れ防止装置とを備えている。
【００２４】
そして、本発明では、上記ポスト倒れ防止装置を上記支柱２の下部外周に水平に取り付けたガイドパイプ３１と、上記台車本体２０に垂設したブラケット３４と、上記ガイドパイプ３１と上記ブラケット３４に回転自在に取り付けた水平な駆動ロッド３２と、上記駆動ロッド３２の一端に設けた操作レバー３５と、上記操作レバー３５と上記ブラケット３４との間に介装されて常時操作レバー３５を一方向に向けて回転自在に引き込むスプリング３６と、上記駆動ロッド３２の他端に設けられ且つ上記操作レバー３５が上記スプリング３６で一方向に引き込まれている時上記下段ポスト３の背面に対向して起立すると共に上記操作レバー３５を上記スプリング３６に抗して他方向に回転した時上記下段ポスト３の背面から外れた位置に移動する板状のストッパ３３とで構成さていることを特徴とするものである。
【００２５】
更に、本発明では、上記ポスト倒れ防止装置Ｐに付加して他の第２のポスト倒れ防止装置Ｑを設け、当該第２のポスト倒れ防止装置Ｑを上記下段ポスト３の下部外面に固定した板状のブラケット３８と、上記ブラケット３８に固定した長板状のストッパ３９と、このストッパ３９に形成した上下二つのストップ溝４０、４０と、上記ブラケット３８に固定した縦方向のソケット４３と、このソケット４３内に上下移動自在に挿入した回転自在なロックピン４１と、このロックピン４１に結合されて上記二つのストップ溝４０、４０のいずれかに選択的に嵌合する水平なストップレバー４２と、上記台車本体２０上に起立して設けた支持板４５と、この支持板４５に取り付けられて上記ロックピン４１に対向して当該ロックピン４１を抜き差し自在に受容する係止パイプ４４とで構成させている。
【００２６】
以下更に詳しく説明する。
【００２７】
本発明の可搬式作業台装置では、上記上段ポスト５の上端には作業台６が固定されており、この作業台６の前面および側面には、手摺り２９の下端が取り付けられている。
【００２８】
この手摺り２９は、図２に示すように、作業台２９に設けられたヒンジ部３０にこれを中心に回動可能に支持されている。
【００２９】
そして、図１、図３、図４に示すように、上記各下段梯子１０と中段梯子１１と上段梯子１２とをそれぞれ傾斜して配置し、上記中段梯子１１の下端をローラブラケット１４とこのローラブラケット１４に回転自在に取り付けたローラ１５とを介して上記下段梯子１０にスライド自在に嵌合し、同じく上記上段梯子１２の下端を他のローラブラケット１４とこのローラブラケット１４に回転自在に取り付けたローラ１５とを介して上記中段梯子１１にスライド自在に嵌合し、更に上記各ローラブラケット１４、１４に各ローラ１５、１５の移動と回転を阻止するロック機構Ｒを取り付けている。
【００３０】
この場合、下段梯子１０と中段梯子１１と上段梯子１２を断面コ字状の一対の長尺フレームＦ、Ｆと各フレームＦ、Ｆ間に架設した複数のステップＧとで形成し、更に上段梯子１２の上端が上段ブラケット９にヒンジ結合されていると共に下端に取り付けたローラ１５が上記中段梯子１１に揺動自在に嵌合し、同じく上記中段梯子１１の上端が上記中段ブラケット８にヒンジ結合されていると共に下端に取り付けたローラ１５が上記上記下段梯子１０に揺動自在に嵌合している。
【００３１】
上記ロック機構Ｒは図３、図４に示すように、中段梯子１１及び上段梯子１２のフレームＦの下部にそれぞれボルト結合した板状のローラブラケット１４と同じくフレームＦの下端に溶接等で結合した筒状のソッケト１６と、この上記ソケット１６の端部に挿入して固定したナット１７と、上記ナット１７に移動自在に螺合したハンドル付きねじロッド１８と、上記ねじロッド１８の先端に固定されて上記ローラ１５に対向するプッシュロッド１９とで構成している。
【００３２】
そして、ハンドル１８で回転駆動されるねじロッド１８を介して上記プッシュロッド１９を上記フレームＦの外側面に押圧したとき当該フレームＦを上記ローラ１５に押し当ててこのローラ１５を制動させるようにしている。
【００３３】
台車１は水平な枠体からなる台車本体２０と、台車本体２０の下部四隅に設けたキャスタ２１と、台車本体２０に回転自在なブラケット２２を介して取り付けたアウトリガー２３と、台車本体２０の端部に一体に起立した手押し操作ハンドル２４とで構成されている。
【００３４】
更に、上記支柱２の下部には第１のポスト倒れ防止装置Ｐが回転自在に取り付けられ、同じく、下段ポスト３の下部外面と上記台車本体２０との間に他の第２のポスト倒れ防止装置Ｑが取り付けられており、図１に示すように各ポストを伸長したとき各ポストが転倒するのを防止している。
【００３５】
これら二つのポスト倒れ防止装置Ｐ，Ｑは単独で使用してもよく、両者を協働して使用しても良い。
【００３６】
又、上記手押し操作ハンドル２４には図１、図２に示すように、下段ポスト３を水平に倒して格納した時、このポスト３の揺れや脱落を防止する二組のポスト保持装置Ｓ、Ｔが設けられている。
【００３７】
上記一方のポスト保持装置Ｓは上記第２のポスト倒れ防止装置Ｑと同じ構造を採用しており、図１に示すように下段ポスト３、中段ポスト４、上段ポスト５を伸長して垂直に起立したとき第２のポスト倒れ防止装置Ｑを使用して各ポストが転倒するのを防止している。
【００３８】
そして、図２に示すように、各ポストを縮めた状態で水平に格納した時、ポスト保持装置Ｓを使用して各ポストが揺れたり、外れたりするのを防止している。
【００３９】
更にまた、下段ポスト３と中段ポスト４のコーナにはポストの滑り防止装置Ｕがそれぞれ設けられ、図１に示すように各ポストが伸長した時、ウィンチ機構１３の故障等があっても、上方からの重量で各ポストが下方に滑り落ちないようにしている。
【００４０】
上記第１のポスト倒れ防止装置Ｐは、支柱２の下部外周に水平に取り付けたガイドパイプ３１と、台車本体２０に垂設したブラケット３４と、ガイドパイプ３１とブラケット３４に回転自在に取り付けた駆動ロッド３２と、駆動ロッド３２の一端に設けた操作レバー３５と、操作レバー３５と上記ブラケット３４との間に介装されて常時操作レバー３５を正面から見て時計方向に向けて引き込むスプリング３６と、駆動ロッド３２の他端に設けられて下段ポスト３の背面に対向して起立する板状のストッパ３３とで構成されている。
【００４１】
ところで、各ポスト３，４，５は軸２５を中心にして回転するが、図２に示すように、軸２５より右側（図１において下側）の長さは軸２５の左側（図１において上側）の長さより短くされている。
【００４２】
これは、図２に示すように、作業現場、例えば、建築物の壁際に格納した状態の可搬式作業台装置をできるだけ近づけて作業がしやすいようにするため、下段ポスト３の右側寄りに回転中心となる軸２５を設定している。
【００４３】
この為、下段ポスト３の軸２５より右側の長さは短くなり、下段ポスト３の右端が壁際に向けて張り出さないようになっている。
【００４４】
従って、各ポスト３，４，５はそれ自体軸２５より左側の方が重く、しかも作業台６の重量や、各梯子の重量や、作業台６に乗り込んだ作業者の体重も加わることから、図１に示すように各ポスト３，４，５が伸長して起立した状態では、軸２５を支点にして各ポストが図１において反時計方向に回転する恐れがある。
【００４５】
そこで、図１のように各ポスト３、４、５を伸長して起立させている時は図１の左側（正面）から見て、駆動ロッド３２と操作レバー３５とをスプリング３６で時計方向に引っ張り込み、駆動ロッド３２を介してストッパ３３を下段ポスト３の右側（背面）に対向して起立させておく。
【００４６】
このため、図１において、下段ポスト３等が軸２５を反時計方向に回転しようとしも、この下段ポスト３の下部がストッパ３３に係止されて回転が阻止され、そのままロックされて、安全性が確保されている。
【００４７】
他方、各ポスト３、４、５や各梯子１０、１１、１２を縮めて図２に示すように回転して水平に格納する場合は上記のロック状態を解消する。
【００４８】
この場合は、上記と逆に、スプリング３６に抗して操作レバー３５を反時計方向に手動又は足で回転し、駆動ロッド３２を介して同一方向にストッパ３３を回転させる。
【００４９】
この時は、ストッパ３３が連動して同一方向に回転し、これが下段ポスト３の下方に回転して移動するため、当該ストッパ３３は下段ポスト３の背面からはずれ、下段ポスト３を図２にように軸２５を中心にて回転させ、水平に格納させることが出来る。
【００５０】
次に、上記第２のポスト倒れ防止装置Ｑは、いわゆるフランス落しと言われるロック機構と同じ構造を採用している。
【００５１】
この第２のポスト倒れ防止装置Ｑは図１、図２、図６に示すように、下段ポストの下部外面に固定した板状のブラケット３８と、ブラケット３８に固定した長板状のストッパ３９と、ストッパ３９に形成した上下二つのストップ溝４０、４０と、ブラケット３８に固定した縦方向のソケット４３と、ソケット４３内に上下移動自在に挿入した回転自在なロックピン４１と、ロックピン４１に結合されて上記二つのストップ溝４０，４０のいずれかに選択的に嵌合する水平なストップレバー４２と、台車本体２０上に起立して設けた支持板４５と、この支持板４５に取り付けられて上記ロックピン４１に対向してこれを抜き差し自在に受容する係止パイプ４４とで構成されている。
【００５２】
これにより、下段ポスト３等が垂直に起立している図１の状態時にはストップピン４１が下降して係止パイプ４４内に挿入し、この係止パイプ４４がブラケット３８と支持板４５とを結合するため、ブラケット３８と下段ポスト３が台車本体２０に対して垂直状態を維持できるようにロックされ、ポストの倒れが防止されている。
【００５３】
この時ストップレバー４２は下方のストップ溝４０に嵌合して当該ストップレバー４２が上方に抜け出ないようになっている。
【００５４】
他方、図２のように各ポストを水平に格納する場合は、上記のストップレバー４２を回転して下方のストップ溝４０からはずし、次いでロックピン４１を引き上げて係止パイプ４４から抜き出し、ロックを解除し、次いでストップレバー４２を上方のストップ溝４０に嵌合して下降しないようにしておく。
【００５５】
これにより、ブラケット３８と下段ポスト３が台車本体２０側の係止板４５からはずれ、下段ポスト３を軸２５を支点にして回転させることができる。
【００５６】
更に、この回転された下段ポスト３は次のポスト保持装置Ｓで保持される。
【００５７】
このポスト保持装置Ｓは上記の第２のポスト倒れ防止装置Ｑと実質的に構造が同じである。即ち、この場合、上記の係止パイプ４４の代わりに、図７に示すように、手押し操作ハンドル２４の上部に設けた水平な板状ブラケット４６と、このブラケット４６上に取り付けたソケット４７とを利用している。
【００５８】
この場合のロック、またはロック解除操作はロックピン４１をソケット４７に対する抜き差し操作で行うもので構造、作用効果は第２のポスト倒れ防止装置Ｑの場合と同じである。
【００５９】
なお、手押し操作レバー２４の上端には他のポスト保持装置Ｔ設けられ、これは図２に示すように下段ポスト３を押圧して揺れを防止する上下移動自在なパッド４８から構成されている。
【００６０】
次に、上記のポストの滑り防止装置Ｕは、例えば、図５に示すように、下段ポスト３のコーナに貫通して設けたガイド筒４８と、ガイド筒４８内に移動自在に螺合したねじロッド４９と、ねじロッド４９の外端に設けたハンドル５０と、ねじロッド４９の内端に設けたコマ５１とで構成され、ハンドル５０を介してねじロッド４９を移動してコマ５１を中段ポスト４のコーナに押圧した時中段ポスト４がコマ５１との間のフリクションで滑り落ちないようになっている。
【００６１】
この為、ウィンチ機構１３やワイヤ２７に故障、作動不良、破損があった場合でも各ポスト４、５が滑り落ちるのを防止して安全性を確保している。
【００６２】
次に、上記可搬式作業台装置の全体構造とこれに伴う操作手順を簡単に説明する。
【００６３】
図２に示すように各上段ポスト５と中段ポスト４とを下段ポスト３内に下降して収容し、次いで、下段ポスト３を水平に倒してコンパクトに格納した状態で、手押し操作ハンドル２４を押しながらキャスタ２１で所定の作業現場に移送し又は撤去させる。
【００６４】
台車本体２０の中央にはブラケットを介して一対の支柱２，２を起立して固定させ、この支柱２，２の上端に設けた軸２６にブラケット２６を介して例えば角パイプからなる下段ポスト３の胴部が回転自在に結合され、下段ポスト３は図１の垂直位置から図２の水平位置まで軸２５を中心にして回転できるようになっている。
【００６５】
上記下段ポスト３には内部に角パイプからなる中段ポスト４が昇降自在に収容され、この中段ポスト３内には角パイプからなる上段ポスト５が昇降自在に収容されている。
【００６６】
また、上記下段ポスト３の側面には手回し式のウィンチ１３が取り付けられ、このウィンチ１３のドラムに巻き付けられ、または巻き戻されるワイヤー２７が下段ポスト３と中段ポスト４と上段ポスト５にそれぞれ設けたシーブを経由して、同じく下段ポスト３の外面に設けた他のブラケット２３に止着されている。
【００６７】
即ち、このワイヤー２７は、途中で各ポスト３，４，５の外側又は内部に設けたシーブやガイドローラなどに巻かれており、上記ウィンチ１３のドラムへのワイヤーの巻き取り又は巻き戻しにより、下段ポスト３に対して、各中段ポスト４、上段ポスト５を所定の高さに順次上昇させ又は下降させることができるようになっている。
【００６８】
かかる構成になる可搬作業台装置では、上記台車１を手押し操作ハンドル２４を押しながらキャスタ２１を介して所定位置に移動させ、所定の作業現場でブラケット２２を回転してアウトリガー２３を起立させて台車１の安定させる。
【００６９】
即ち、アウトリガー２３を十分に強く地面やコンクリート床上に圧接させることができ、作業台２９が高所に位置して重心が上方に移動した場合でも、台車１を倒れないように地面やコンクリート床上に安定に支持させる。
【００７０】
次に、ウィンチ１３を手動操作することにより、これのドラムにワイヤー２７を巻き取り、下段ポスト３に対して、中段ポスト４および上段ポスト５を作業位置の高さまで上昇させる。
【００７１】
このとき、上記中段１１および上段梯子１２も多段式に上昇し、作業者は各梯子１０，１１，１２を登り、作業台２９上に乗ることができる。
【００７２】
そして、この作業台２９における高所作業終了後は、上記の各梯子１０，１１，１２を介した地上に降り、次いで上記ウィンチ３を上記と逆方向に操作することで、上段ポスト５と中段ポスト４を下段ポスト３内に収める。
【００７３】
一方、上記作業終了後、この可搬作業台装置を移動または収納する場合には、図２に示すように、手摺２９を折り畳み、下段ポスト３を軸２５を中心にして水平に回転して格納させる。
【図面の簡単な説明】
【００７４】
【図１】本発明の一実施の形態に係わる可搬式作業台の側面図である。
【図２】図１の可搬式作業台を折り畳んで格納した状態の側面図である。
【図３】ロック機構の拡大斜視図である。
【図４】図３のロック機構の分解斜視図である。
【図５】第１のポスト倒れ防止装置の拡大斜視図である。
【図６】図５の第１のポスト倒れ防止装置を組み込んだ台車部分の斜視図である。
【図７】第２のポスト倒れ防止装置の拡大斜視図である。
【図８】ポスト保持装置の拡大斜視図である。
【図９】ポストの滑り防止装置の拡大横断面図である。
【符号の説明】
【００７５】
１    台車
２    支柱
３    下段ポスト
４    中間ポスト
５    上段ポスト５
６    作業台
７    下段ブラケット
８    中段ブラケット
９    上段梯子
１０  下段梯子
１１  中段梯子
１３  ウィンチ機構
１４  ローラブラケット
１５  ローラ
１６  ソケット
１７  ナット
１８  ロッド
１９  プッシュロッド
２０  台車本体
３１  ガイドパイプ
３２  駆動ロッド
３３  ストッパ
３４  ブラケット
３５  操作レバー
３６  スプリング
Ｒ    ロック機構
Ｆ    フレーム
Ｇ    ステップ
【図１】
2010115759.tif 000003
【図２】
2010115759.tif 000004
【図３】
2010115759.tif 000005
【図４】
2010115759.tif 000006
【図５】
2010115759.tif 000007
【図６】
2010115759.tif 000008
【図７】
2010115759.tif 000009
【図８】
2010115759.tif 000010
【図９】
2010115759.tif 000011